(57)【要約】【課題】幅広い運転条件に対して、内燃機関の停止時間を精度よく推定する。【解決手段】内燃機関１の始動時の吸気入口通路１０内の温度と内燃機関１の前回の停止時における吸気入口通路１０内の温度とによって決まる内燃燃機１の停止中の内燃機関１からの放熱による吸気入口通路１０内の温度変化特性と、内燃機関１の始動時の冷却水温度と内燃機関１の前回の停止時における冷却水温度とによって決まる内燃機関１の停止中の冷却水温度変化特性と、を用いて内燃機関１の前回の停止時から内燃機関１の今回の始動までの機関推定停止時間ＴＳＯＡＫを算出する。これによって、幅広い運転条件に対して、内燃機関１の停止時間を精度よく推定することができる。【選択図】図３
2010014036.tif 000002
【特許請求の範囲】
【請求項１】
吸気通路内の温度を検出する吸気通路内温度検知手段と、内燃機関の冷却水の温度を検知する冷却水温度検知手段と、を有し、
前記内燃機関の始動時の吸気通路内の温度と当該内燃機関の前回の停止時における吸気通路内の温度とによって決まる当該内燃燃機の停止中の当該内燃機関からの放熱による吸気通路内の温度変化特性と、前記内燃機関の始動時の冷却水温度と当該内燃機関の前回の停止時における冷却水温度とによって決まる当該内燃機関の停止中の冷却水温度変化特性と、を用いて前記内燃機関の前回の停止時から当該内燃機関の今回の始動までの機関推定停止時間を算出することを特徴とする内燃機関の停止時間推定装置。
【請求項２】
前記内燃機関の周囲の環境温度を検出する環境温度検知手段と、前記内燃機関の前回の停止時における当該内燃機関の暖機の度合を検知する暖機度合検知手段と、を有し、前記環境温度と、前回の停止時における当該内燃機関の暖機の度合とに応じて、前記機関推定停止時間を算出することを特徴とする請求項１に記載の内燃機関の停止時間推定装置。
【請求項３】
前記内燃機関の前回の停止時から当該内燃機関の今回の始動までの冷却水温度の温度低下代が予め設定された所定値以下に場合には、吸気通路内の温度変化特性に応じて前記機関推定停止時間を算出し、
前記内燃機関の前回の停止時から当該内燃機関の今回の始動までの冷却水温度の温度低下代が予め設定された所定値より大きい場合には、前記内燃機関の前回の停止時における冷却水温度と、当該内燃機関の今回の始動時における冷却水温度とに応じて、前記機関推定停止時間を算出することを特徴とする請求項２に記載の内燃機関の停止時間推定装置。
【請求項４】
前記機関推定停止時間は、前記環境温度が低くなるほど短くなるよう補正していることを特徴とする請求項２または３に記載の内燃機関の停止時間推定装置。
【請求項５】
前記機関推定停止時間は、前回の停止時における当該内燃機関の暖機の度合が大きくなるほど短くなるよう補正していることを特徴とする請求項２〜４のいずれかに記載の内燃機関の停止時間推定装置。
【請求項６】
前記吸気通路内温度検知手段の近傍にホットワイヤ式のエアフローメータが配置され、前記機関推定停止時間を算出する際に、前記エアーフローメータの余熱の影響による温度上昇分が取り除かれるように、前記機関推定停止時間を算出することを特徴とする請求項１〜５のいずれかに記載の内燃機関の停止時間推定装置。
【発明の詳細な説明】
【技術分野】
【０００１】
本発明は、吸気通路内の温度を利用して内燃機関の停止時間を推定する内燃機関の停止時間推定装置に関する。
【背景技術】
【０００２】
特許文献１には、機関内部あるいはその周辺に互いに異なる対象物の温度を検知する３個以上のセンサを設け、これら各センサにより、少なくとも内燃機関の停止時と、内燃機関の再始動時における温度を検出し、前記対象物のうち互いに熱的接触のある２つの対象物の内燃機関停止中の熱平衡現象を利用して、内燃機関の停止時間を算出する技術が開示されている。
【特許文献１】特開２００４−４４４３２号公報
【発明の開示】
【発明が解決しようとする課題】
【０００３】
しかしながら、このような特許文献１においては、センサで温度を検知する対象物の熱容量が大きい場合には、内燃機関の停止直後からの一定期間は温度が殆ど変化しないため、内燃機関の停止から再始動までの時間が短いような場合には、内燃機関の停止時間を推定することができないという問題がある。
【課題を解決するための手段】
【０００４】
そこで、本発明は、内燃機関の停止時間推定装置は、内燃機関の始動時の吸気通路内の温度と当該内燃機関の前回の停止時における吸気通路内の温度とによって決まる当該内燃燃機の停止中の当該内燃機関からの放熱による吸気通路内の温度変化特性と、前記内燃機関の始動時の冷却水温度と当該内燃機関の前回の停止時における冷却水温度とによって決まる当該内燃機関の停止中の冷却水温度変化特性と、を用いて前記内燃機関の前回の停止時から当該内燃機関の今回の始動までの機関推定停止時間を算出することを特徴としている。
【発明の効果】
【０００５】
本発明によれば、熱容量の小さい吸気通路内の空気の温度と、熱容量の大きい冷却水の温度と、を併用して内燃機関の停止時間を推定することで、幅広い運転条件に対して、内燃機関の停止時間を精度よく推定することができる。
【０００６】
また、熱容量の大きい冷却水の温度のみを用いて内燃機関の停止時間を推定する場合には、内燃機関の停止時間が短いと、応答性が悪く、内燃機関の停止時間を正確に推定することは難しいが、熱容量の小さい吸気通路内の空気の温度も内燃機関の停止時間を推定するに当たって利用しているので、冷却水の温度に変化が現れにくい、内燃機関の停止時間が短い場合についても精度よく推定することが可能となる。
【発明を実施するための最良の形態】
【０００７】
以下、本発明の一実施形態を図面に基づいて詳細に説明する。
【０００８】
図１は、この発明に係る内燃機関の停止時間推定装置のシステム構成も模式的に示した説明図ある。
【０００９】
火花点火式ガソリン機関からなる内燃機関１は、吸気弁２と排気弁３とを有している。
【００１０】
各気筒の排気を集合させる排気マニホルド４の出口側は、触媒コンバータ５に接続されており、かつこの触媒コンバータ５の上流位置に、空燃比を検出するための空燃比センサ６が設けられている。
【００１１】
各気筒の吸気ポートに向かって各気筒毎に燃料を噴射供給するように燃料噴射弁７が設けられている。この吸気ポートには、ブランチ通路８がそれぞれ接続され、かつこの複数のブランチ通路８の上流端が、コレクタ９に接続されている。コレクタ９の一端には、吸気通路としての吸気入口通路１０が接続されており、この吸気入口通路１０に、電子制御のスロットル弁１１が設けられている。このスロットル弁１１は、電気モータからなるアクチュエータ１１ａを備え、エンジンコントロールユニット１２（以下、ＥＣＵ１２と記す）から与えられる制御信号によって、その開度が制御される。尚、各気筒の吸気ポート及びコレクタ９も吸気通路を構成するものである。
【００１２】
また、スロットル弁１１の上流には、吸気入口通路１０内の温度を検知する吸気通路内温度検知手段としての吸気温センサ１３が配置されている。尚、吸気温センサ１３の配置される位置は、必ずしも吸気入口通路１０に限定されるものではなく、例えばスロットル弁１１下流のコレクタ９に配置することも可能である。
【００１３】
シリンダブロックには、内燃機関１の冷却水温度を検知する冷却水温度検知手段としての冷却水温センサ１４が取り付けられている。
【００１４】
また、機関回転速度およびクランク角位置を検出するために、クランクシャフトに対してクランク角センサ１５が設けられており、さらに、運転者により操作されるアクセルペダル開度（踏込量）を検出するアクセル開度センサ１６を備えている。
【００１５】
クランク角センサ１５及びアクセル開度センサ１６の検出信号は、上記の空燃比センサ６、吸気温センサ１３、冷却水温センサ１４等の検出信号や、スロットル弁１１よりも上流側に配置されたエアフローメータ１７の検出信号とともに、ＥＣＵ１２に入力されている。ＥＣＵ１２では、これらの検出信号に基づいて、燃料噴射弁７の噴射量や噴射時期、点火プラグ１８による点火時期、スロットル弁１１の開度、などを制御する。また、ＥＣＵ１２には、運転者によるエンジンキーのオン／オフ信号が入力されている。
【００１６】
ここで、内燃機関１の吸気入口通路１０内の温度は、内燃機関１運転中は外部から空気が吸入されるため環境温度（外気温度）と一致するが、内燃機関１が停止すると外部からの空気の吸入が停止するのため、内燃機関１が停止すると内燃機関１自身の熱が伝達されて環境温度よりも温度が上昇する。尚、内燃機関１は、放熱により徐々に冷却されていくので、内燃機関１の温度は、停止時間が十分に長くなると環境温度と一致する。つまり、吸気入口通路１０内の温度は、内燃機関１の停止直後から上昇し始めるが、内燃機関の冷却に伴い、やがて低下し始め、停止時間が十分に長くなると環境温度と一致する。また、内燃機関１が冷却される速度は、内燃機関１が停止した時点における内燃機関１の暖機の度合、すなわち内燃機関１が停止した時点で当該内燃機関１が持つ熱量や、内燃機関１が停止した時点の環境温度（大気温度）によっても変化する。
【００１７】
そのため、内燃機関１の停止後の吸気入口通路１０の吸気温センサ１３位置における温度変化特性は、図２に示すように、環境条件や直前の運転状況によって変化することになる。図２は、内燃機関の停止後の吸気系内の所定位置における温度上昇の特性を模式的に示した説明図であって、特性線Ａは環境温度が−２０℃での始動から冷却水温度が０℃になるまで内燃機関を運転後に内燃機関を停止した場合、特性線Ｂは環境温度が２０℃での始動から冷却水温度が３０℃になるまで内燃機関を運転後に内燃機関を停止した場合、特性線Ｃは環境温度が０℃での始動から冷却水温度が１０℃になるまで内燃機関を運転後に内燃機関を停止した場合、をそれぞれ示している。
【００１８】
そこで、本実施形態では、内燃機関１停止中の吸気入口通路１０内の温度上昇特性が、環境温度や直前の運転状況によって変化することを考慮した上で、内燃機関１の始動時に、内燃機関１停止中の吸気入口通路１０内の温度上昇特性を利用して、内燃機関１の前回の停止時から内燃機関１の今回の始動までの機関推定停止時間を算出する。
【００１９】
図３は、内燃機関１が停止してから再始動するまでの時間を推定する際の制御の流れを示すフローチャートである。尚、この図３に示す制御は、ＥＣＵ１２で実行されるものである。
【００２０】
ステップ（以下、単にＳと記す）１では、運転者によるエンジンキーのＯＮ信号を受信し、ＥＣＵ１２に通電が開始されたらＳ２へ進む。
【００２１】
Ｓ２では、前回内燃機関１を停止した際、つまり直前の内燃機関１の停止時、に記憶しておいた各種パラメータをＥＣＵ１２の記憶領域（バックアップＲＡＭ）から呼び出す。詳述すると前回内燃機関１を停止した際の冷却水温度である前回機関停止時水温ＴＷＮＫＯ、前回内燃機関１を停止した際の吸気温度である前回機関停止時吸気温ＴＡＮＫＯ、前回内燃機関１を停止した際の環境温度（大気温度）である前回機関停止時環境温度ＴＥＮＶＫＯ（算出方法については後述）及び前回暖機運転時間ＤＡＮＫＩＤＯを呼び出す。ここで、本実施形態における前回暖機運転時間ＤＡＮＫＩＤＯは、前回内燃機関１を運転した際の始動時から停止時までの水温の変化量である。従って、本実施形態においては、前回内燃機関１を運転した際の始動時の冷却水温センサ１４の検出値と、停止時の冷却水温センサ１４の検出値とを用いて前回内燃機関１を運転した際の始動時から停止時までの水温の変化量を算出する処理（ＥＣＵ１２内で行われる）が暖機度合検知手段に相当する。
【００２２】
Ｓ３では、冷却水温センサ１４から始動時水温ＴＷＩＮＴを検出し、吸気温センサ１３から始動時吸気温ＴＡＩＮＴを検出する。ここで、始動時吸気温ＴＡＩＮＴは、内燃機関１始動時の吸気入口通路１０内の温度を表すことになる。
【００２３】
Ｓ４では、始動時吸気温ＴＡＩＮＴ及び前回機関停止時吸気温ＴＡＮＫＯから、環境温度ＴＥＮＶを演算する。詳述すると、始動時水温ＴＷＩＮＴが所定の基準温度以下（例えば３０℃以下）で、ＴＷＩＮＴ−ＴＡＩＮＴが所定の基準値以下（例えば１℃以下）の場合には、ＴＥＮＶ＝ＴＡＩＮＴとし、それ以外の場合にはＴＥＮＶ＝ｍｉｎ（ＴＡＮＶＫＯ、ＴＡＩＮＴ）とする。つまり、このＳ４で行われる処理が、環境温度検知手段に相当するものである。
【００２４】
尚、吸気温センサ１３は、ＥＣＵ１２の通電中は常に吸気温ＴＡＮを検知しており、吸気温センサ１３の検出値をＴＡＮとすると、始動時のＴＡＮがＴＡＩＮＴであり、停止時のＴＡＮがＴＡＮＶＫＯとなっている。
【００２５】
Ｓ５では、前回の内燃機関１の停止から今回の内燃機関１の始動までの間の冷却水温度の低下が所定の基準値以下であるか否かを判定する。具体的には、ＴＷＮＫＯ−ＴＷＩＮＴが所定の基準値ＴＨＳＫＴＷＮ（例えば１℃）以下であれば、吸気温センサ１３の検出値を用いて、内燃機関１の前回の停止時から内燃機関１の今回の始動までの機関推定停止時間ＴＳＯＡＫを算出すべくＳ６へ進み、ＴＷＮＫＯ−ＴＷＩＮＴが所定の基準値ＴＨＳＫＴＷＮよりも大きい場合には、冷却水温センサ１４の検出値を用いて内燃機関１の前回の停止時から内燃機関１の今回の始動までの機関推定停止時間ＴＳＯＡＫを算出すべくＳ１０へ進む。
【００２６】
これは、内燃機関１の前回の停止時から内燃機関１の今回の始動までの時間が短い場合には、冷却水温度が殆ど低下しないため、冷却水温度の低下を利用して内燃機関１の停止時間を精度よく推定できないためである。また、内燃機関１の前回の停止時から内燃機関１の今回の始動までの時間が長い場合には、吸気温度が環境温度と一致してしまうと、吸気温度を利用して内燃機関１の停止時間を精度よく推定できないためである。
【００２７】
つまり、このＳ５は、内燃機関１が長時間（例えば１０分以上）停止していたか否かを判定し、内燃機関１の停止が長時間（例えば１０分以上）と予想される状況では、Ｓ１０へ進んで冷却水温度の変化（低下）を利用して内燃機関１の停止時間を推定し、内燃機関１の停止が短時間（例えば１０分未満）と予想される状況では、Ｓ６へ進んで吸気温度の変化（上昇）を利用して内燃機関１の停止時間を推定する。
【００２８】
Ｓ６では、前回暖機運転時間ＤＡＮＫＩＤＯ及び環境温度ＴＥＮＶがそれぞれがともに所定の規定範囲内にあるか否かを判定し、両者とも所定の規定範囲内にあれＳ７へ進み、そうでない場合にはＳ９へ進む。
【００２９】
詳述すると、前回暖機運転時間ＤＡＮＫＩＤＯが予め設定された閾値ＤＡＮＫＩＤＯ１よりも大きくかつ予め設定された閾値ＤＡＮＫＩＤＯ３以下であり、さらに環境温度ＴＥＮＶが予め設定された閾値ＴＥＮＶ１よりも大きくかつ予め設定された閾値ＴＥＮＶ３以下の場合にはＳ７へ進み、そうでない場合にはＳ９へ進む。
【００３０】
Ｓ７では、前回暖機運転時間ＤＡＮＫＩＤＯ及び環境温度ＴＥＮＶから今回使用すべき吸気温上昇特性テーブルを選択する。ここで、吸気温上昇特性テーブルは、図４に示すように、前回暖機運転時間ＤＡＮＫＩＤＯと環境温度ＴＥＮＶに応じて異なる吸気温上昇特性テーブルが選択されるよう設定されている。本実施形態においては、吸気温センサ１３の検出値を用いて機関推定停止時間ＴＳＯＡＫを算出する場合、４つの吸気温上昇特性テーブルの中から前回暖機運転時間ＤＡＮＫＩＤＯと環境温度ＴＥＮＶとに応じて１つの吸気温上昇特性テーブルが選択される。各吸気温上昇特性テーブル（ＳＫＴＡＮ１〜４）は、縦軸が吸気温度上昇分、横軸が内燃機関１の停止時間を表すものであり、吸気温度上昇分から機関推定停止時間ＴＳＯＡＫが算出される。ここで、吸気温度上昇分は、具体的には、前回機関停止時吸気温ＴＡＮＫＯから始動時吸気温ＴＡＩＮＴを減じた値（ＴＡＮＫＯ−ＴＡＩＮＴ）である。また、各吸気温上昇特性テーブルは、環境温度ＴＥＮＶが低いときに選択されるものほど（ＴＡＮＫＯ−ＴＡＩＮＴ）の値が同じであっても算出される機関推定停止時間ＴＳＯＡＫが短くなるように補正され、前回暖機運転時間ＤＡＮＫＩＤＯが大きいときに選択されるものほど（ＴＡＮＫＯ−ＴＡＩＮＴ）の値が同じであっても算出される機関推定停止時間ＴＳＯＡＫが短くなるように補正されている。つまり、機関推定停止時間ＴＳＯＡＫは、環境温度が低くなるほど短くなるよう補正されると共に、前回の停止時における内燃機関１の暖機の度合が大きくなるほど短くなるよう補正される。
【００３１】
環境温度が低い場合、吸入空気の温度は低くなる。吸入空気の温度が低いと、吸入空気の密度は大きくなる。つまり、環境温度が低いと、内燃機関１の停止時に吸気入口通路１０内に滞留する空気の密度は相対的に大きなものとなる。そして、空気密度が大きいほど、内燃機関１の停止後に内燃機関１からの熱の伝達速度は早くなるため、内燃機関１の停止後に吸気入口通路１０内の温度上昇は早くなるため、機関推定停止時間ＴＳＯＡＫは、環境温度が低くなるほど短くなるよう補正されるのである。
【００３２】
また、内燃機関１の暖機の度合が大きいほど、内燃機関１の温度が高くなっているため、内燃機関１の停止後に吸気入口通路１０内の温度上昇は早くなるため、機関推定停止時間ＴＳＯＡＫは、内燃機関１の暖機の度合が大きくなるほど短くなるよう補正されるのである。
【００３３】
そして、Ｓ８では、選択された吸気温上昇特性テーブルを用いて、機関推定停止時間ＴＳＯＡＫを算出する。
【００３４】
Ｓ９では、機関推定停止時間ＴＳＯＡＫを所定の値Ｐとする。Ｓ９で機関推定停止時間ＴＳＯＡＫを算出する状況は、上述した図４において、前回暖機運転時間ＤＡＮＫＩＤＯと環境温度ＴＥＮＶとが吸気温上昇特性テーブルが割り付けられていない領域（図４中の斜線部分）にある場合、すなわち吸気温上昇特性テーブルが選択されない場合であり、機関推定停止時間ＴＳＯＡＫ算出エラーとして所定値Ｐ（例えばＰ＝∞）を算出する。つまり、Ｓ９では、内燃機関１が長時間止まっていたと判断し、実質的には、機関推定停止時間ＴＳＯＡＫを算出しないことになる。ここで、上記所定値Ｐは、Ｓ８及びＳ１０（後述）で算出される可能性のある機関推定停止時間ＴＳＯＡＫよりも大きい値に設定されている。
【００３５】
Ｓ１０では、図５に示す水温低下特性テーブルを用いて、機関推定停止時間ＴＳＯＡＫを算出する。この図５における縦軸は、始動時水温ＴＷＩＮＴから環境温度ＴＥＮＶを減じたものを前回機関停止時水温ＴＷＮＫＯから環境温度ＴＥＮＶを減じたもので除した値である。
【００３６】
図６は、機関推定停止時間ＴＳＯＡＫを算出する際の各種パラメータの変化の一例を示したタイミングチャートである。尚、この図６においては、前前回及び前回の内燃機関１始動時に、機関推定停止時間が所定値Ｐと算出され、今回の内燃機関１始動時に吸気温上昇特性テーブルから機関推定停止時間が算出された場合を示すものである。
【００３７】
図６に示すように、内燃機関１の始動時に検出された冷却水温度が、前回の内燃機関１の停止時に検出された冷却水温度と略同一となるような内燃機関１の停止時間が短い状況では、内燃機関１が停止してから始動するまでの間に内燃機関１から伝達される熱によって上昇する吸気入口通路１０内の温度変化、すなわち内燃機関１の前回の停止時における内燃機関１の暖機の度合に応じて機関推定停止時間ＴＳＯＡＫを算出する。
【００３８】
以上説明してきたように、本実施形態においては、熱容量の小さい吸気入口通路１０内の空気の温度と、熱容量の大きい冷却水の温度と、を併用して機関推定停止時間ＴＳＯＡＫを算出し、内燃機関１の停止時間を推定している。
【００３９】
詳述すると、内燃機関１の前回の停止時から内燃機関１の今回の始動までの冷却水温度の温度低下代が基準値ＴＨＳＫＴＷＮ以下に場合には、環境温度及び内燃機関１の前回の停止時における内燃機関１の暖機の度合に応じて機関推定停止時間ＴＳＯＡＫを算出し、内燃機関１の前回の停止時から内燃機関１の今回の始動までの冷却水温度の温度低下代が基準値ＴＨＳＫＴＷＮより大きい場合には、内燃機関１の前回の停止時における冷却水温度と、内燃機関１の今回の始動時における冷却水温度とに応じて、機関推定停止時間ＴＳＯＡＫを算出する。
【００４０】
これによって、本実施形態においては、幅広い運転条件に対して、内燃機関１の停止時間を精度よく推定することができる。すなわち、熱容量の大きい冷却水の温度のみを用いて内燃機関１の停止時間を推定する場合には、内燃機関１の停止時間が短いと、応答性が悪く、内燃機関１の停止時間を正確に推定することは難しいが、熱容量の小さい吸気入口通路１０内の空気の温度も内燃機関１の停止時間を推定するに当たって利用しているので、冷却水の温度に変化が現れにくい、内燃機関１の停止時間が短い場合についても精度よく推定することが可能となる。
【００４１】
また、熱容量の小さい吸気入口通路１０内の空気温度を利用して機関推定停止時間ＴＳＯＡＫを算出する際には、前回の停止時までの運転状況や、環境温度を考慮しているので、吸気入口通路１０内の空気の温度を利用して機関推定停止時間ＴＳＯＡＫの算出する際の機関推定停止時間ＴＳＯＡＫの精度を一層向上させることができる。
【００４２】
また、上述した実施形態において、例えば、エアフローメータ１７が、電気的発熱体（ホットワイヤ）を備えたいわゆるホットワイヤ式のエアフローメータであり、かつ吸気温センサ１３とエアフローメータ１７とが一体に構成されるような場合には、吸気温センサ１３の近傍に内燃機関１以外の熱源（ホットワイヤ）が位置することになる。
【００４３】
図７は、吸気温センサ１３とホットワイヤ式のエアフローメータのホットワイヤとが近接する場合に、内燃機関１の停止後に吸気温センサ１３で検出される吸気入口通路１０内の空気の温度上昇の特性を模式的に示した説明図であって、特性線ａは環境温度が−２０℃での始動から冷却水温度が０℃になるまで内燃機関１を運転後に内燃機関１を停止した場合、特性線ｂは環境温度が−２０℃での始動から冷却水温度が−１０℃になるまで内燃機関１を運転後に内燃機関１を停止した場合、特性線ｃは環境温度が２０℃での始動から冷却水温度が３０℃になるまで内燃機関１を運転後に内燃機関１を停止した場合、特性線ｄは環境温度が０℃での始動から冷却水温度が１０℃になるまで内燃機関１を運転後に内燃機関１を停止した場合、をそれぞれ示している。
【００４４】
この図７に示すように、吸気温センサ１３に内燃機関１以外の熱源が近接している場合には、内燃機関１の停止直後に上記ホットワイヤのからの熱伝達による温度上昇（ファーストピーク）が発生するため、内燃機関１停止中の吸気入口通路１０内の温度変化から内燃機関１の停止時間を一意的に導くことは困難となる。
【００４５】
そこで、吸気温センサ１３とホットワイヤ式のエアフローメータのホットワイヤとが近接するような場合には、図８に示すように、実際の吸気温上昇特性に対して、上記ホットワイヤからの熱伝達による温度上昇分（図８中の点線）が予め取り除かれた吸気温上昇特性テーブルを利用することで、内燃機関１停止中の吸気入口通路１０内の温度変化から内燃機関１の停止時間を一意的に導くことが可能となる。
【００４６】
つまり、吸気温センサ１３とホットワイヤ式のエアフローメータのホットワイヤとが近接するような場合においても、吸気入口通路１０内の空気の温度から内燃機関１の停止時間を精度よく推定することが可能となる。
【００４７】
尚、本実施形態においては、吸気系内の温度を検出する吸気温センサ１３を用いて環境温度を検出しているが、外気を直接検出する温度センサで環境温度を検出するように構成することも可能である。
【００４８】
上述した実施形態から把握し得る本発明の技術的思想について、その効果とともに列記する。
【００４９】
（１）  内燃機関の停止時間推定装置は、吸気通路内の温度を検出する吸気通路内温度検知手段と、内燃機関の冷却水の温度を検知する冷却水温度検知手段と、を有し、前記内燃機関の始動時の吸気通路内の温度と当該内燃機関の前回の停止時における吸気通路内の温度とによって決まる当該内燃燃機の停止中の当該内燃機関からの放熱による吸気通路内の温度変化特性と、前記内燃機関の始動時の冷却水温度と当該内燃機関の前回の停止時における冷却水温度とによって決まる当該内燃機関の停止中の冷却水温度変化特性と、を用いて前記内燃機関の前回の停止時から当該内燃機関の今回の始動までの機関推定停止時間を算出する。吸気通路内の温度は、吸気通路内の空気の温度である。つまり、熱容量の小さい吸気通路内の空気の温度と、熱容量の大きい冷却水の温度と、を併用して内燃機関の停止時間を推定している。これによって、幅広い運転条件に対して、内燃機関の停止時間を精度よく推定することができる。また、熱容量の大きい冷却水の温度のみを用いて内燃機関の停止時間を推定する場合には、内燃機関の停止時間が短いと、応答性が悪く、内燃機関の停止時間を正確に推定することは難しいが、熱容量の小さい吸気通路内の空気の温度も内燃機関の停止時間を推定するに当たって利用しているので、冷却水の温度に変化が現れにくい、内燃機関の停止時間が短い場合についても精度よく推定することが可能となる。
【００５０】
（２）  前記（１）に記載の内燃機関の停止時間推定装置は、前記内燃機関の周囲の環境温度を検出する環境温度検知手段と、前記内燃機関の前回の停止時における当該内燃機関の暖機の度合を検知する暖機度合検知手段と、を有し、前記環境温度と、前回の停止時における当該内燃機関の暖機の度合とに応じて、前記機関推定停止時間を算出する。内燃機関停止後の吸気通路内の温度は、前回の停止時までの運転状況や、環境温度の影響受けることになるが、機関推定停止時間を算出するにあたって、前回の停止時までの運転状況や、環境温度を考慮しているので、広い運転条件に対して、一層精度よく機関推定停止時間を算出することができる。
【００５１】
（３）  前記（２）に記載の内燃機関の停止時間推定装置は、具体的には、前記内燃機関の前回の停止時から当該内燃機関の今回の始動までの冷却水温度の温度低下代が予め設定された所定値以下に場合には、吸気通路内の温度変化特性に応じて前記機関推定停止時間を算出し、前記内燃機関の前回の停止時から当該内燃機関の今回の始動までの冷却水温度の温度低下代が予め設定された所定値より大きい場合には、前記内燃機関の前回の停止時における冷却水温度と、当該内燃機関の今回の始動時における冷却水温度とに応じて、前記機関推定停止時間を算出する。
【００５２】
（４）  前記（２）または（３）に記載の内燃機関の停止時間推定装置において、前記機関推定停止時間は、具体的には、前記環境温度が低くなるほど短くなるよう補正している。環境温度が低い場合、吸入空気の温度は低くなる。吸入空気の温度が低いと、吸入空気の密度は大きくなる。つまり、環境温度が低いと、内燃機関の停止時に吸気通路内に滞留する空気の密度は相対的に大きなものとなる。また、空気密度が大きいほど、内燃機関の停止後に当該内燃機関からの熱の伝達速度は早くなるため、内燃機関の停止後に吸気通路内の温度上昇は早くなる。
【００５３】
（５）  前記（２）〜（４）のいずれかに記載の内燃機関の停止時間推定装置において、前記機関推定停止時間は、具体的には、前回の停止時における当該内燃機関の暖機の度合が大きくなるほど短くなるよう補正している。内燃機関の暖機の度合が大きいほど、内燃機関の温度が高くなっているため、内燃機関の停止後に吸気通路内の温度上昇は早くなる。
【００５４】
（６）  前記（１）〜（５）のいずれかに記載の内燃機関の停止時間推定装置において、前記吸気通路内温度検知手段の近傍にホットワイヤ式のエアフローメータが配置され、前記機関推定停止時間を算出する際に、前記エアーフローメータの余熱の影響による温度上昇分が取り除かれるように、前記機関推定停止時間を算出する。これによって、前記吸気通路内温度検知手段の近傍にホットワイヤ式のエアフローメータが配置されてる場合であっても、内燃機関の停止時間を精度よく推定することが可能となる。
【図面の簡単な説明】
【００５５】
【図１】本発明に係る内燃機関の停止時間推定装置のシステム構成も模式的に示した説明図。
【図２】内燃機関の停止後の吸気系内の所定位置における温度上昇の特性を模式的に示した説明図。
【図３】本発明に係る内燃機関の停止時間推定装置において、内燃機関１が停止してから再始動するまでの時間を推定する際の制御の流れを示すフローチャート。
【図４】前回暖機運転時間ＤＡＮＫＩＤＯ及び環境温度ＴＥＮＶから今回使用すべき吸気温上昇特性テーブルを選択する際に用いる切り換えテーブル。
【図５】水温低下と機関推定停止時間との相関関係を示す内燃水温低下特性テーブル。
【図６】機関推定停止時間ＴＳＯＡＫを算出する際の各種パラメータの変化の一例を示したタイミングチャート。
【図７】吸気温センサとホットワイヤ式のエアフローメータのホットワイヤとが近接する場合における、内燃機関の停止後の温度上昇の特性を模式的に示した説明図。
【図８】ホットワイヤからの熱伝達による温度上昇分が予め取り除かれた吸気温上昇特性テーブル。
【符号の説明】
【００５６】
１…内燃機関
２…吸気弁
７…燃料噴射弁
８…ブランチ通路
９…コレクタ
１０…吸気入口通路
１１…スロットル弁
１２…エンジコントロールユニット
１３…吸気温センサ
１４…冷却水温センサ
１５…クランク角センサ
１６…アクセル開度センサ
１７…エアフローメータ
【図１】
2010014036.tif 000003
【図２】
2010014036.tif 000004
【図３】
2010014036.tif 000005
【図４】
2010014036.tif 000006
【図５】
2010014036.tif 000007
【図６】
2010014036.tif 000008
【図７】
2010014036.tif 000009
【図８】
2010014036.tif 000010